(57)【要約】  板部（1）、グリップ部（2）を備え、前記板部（1）の前記グリップ部（2）に近い側に、掌及び指の押圧支持用の補助グリップ（3）が設けられ、上記補助グリップ（3）は、中指の押圧支持用の第1押圧部（311）、薬指と小指の押圧支持用の第2押圧部（312）、及び掌の押圧支持用の第3押圧部（313）を備えること  を特徴とする補助グリップ付き卓球ラケットを提供する。  【選択図】図1
2016526457.tif 000002
【特許請求の範囲】
【請求項１】
板部（1）、グリップ部（2）を備え、
前記板部（1）の前記グリップ部（2）に近い側に、掌及び指の押圧支持用の補助グリップ（3）が設けられ、
前記補助グリップ（3）は
中指の押圧支持用の第1押圧部（311）、
薬指と小指の押圧支持用の第2押圧部（312）、及び
掌の押圧支持用の第3押圧部（313）を備える、
ことを特徴とする補助グリップ付き卓球ラケット。
【請求項２】
前記補助グリップ（3）は、
前記第1押圧部（311）を有する第1補助グリップ（31）、及び
前記第2押圧部（312）と前記第3押圧部（313）を有する第2補助グリップ（32）を備え、
前記第2補助グリップ（32）は、前記板部（1）表面との間の角度を調整するため、前記グリップ部（2）の長手方向に沿って回転可能で、
前記第2補助グリップ（32）は、前記第1補助グリップ（31）と前記グリップ部（2）との間に設けられること、
を特徴とする請求項1に記載の補助グリップ付き卓球ラケット。
【請求項３】
前記第2補助グリップ（32）の回転軸線は、前記グリップ部（2）の中心線と平行又は一致すること、
を特徴とする請求項2に記載の補助グリップ付き卓球ラケット。
【請求項４】
前記板部（2）と前記第2補助グリップ（32）とを連結するため、前記板部（1）の表面に連結材（4）が設けられ、
前記第2補助グリップ（32）は、前記板部（2）の表面との間に形成される角度を調整するため、前記連結材（4）と回転可能に連結すること、
を特徴とする請求項2に記載の補助グリップ付き卓球ラケット。
【請求項５】
前記第1補助グリップ（31）は、前記連結材（4）に設けられること、
を特徴とする請求項４に記載の補助グリップ付き卓球ラケット。
【請求項６】
前記連結材（4）は、蝶番であり、前記蝶番は、第1片側半（41）と第2片側半（42）を備え、
前記第1片側半（41）は、前記板部（1）に設置され、前記第2片側半（42）は、前記第2補助グリップ（32）に連結され、
第1片側半（41）と第2片側半（42）の回転により、前記第2補助グリップ（32）と前記板部（1）の表面との間に形成される角度を調整すること、
を特徴とする請求項5に記載の補助グリップ付き卓球ラケット。
【請求項７】
前記第1補助グリップ（31）が前記板部（1）の表面に設置されること、
を特徴とする請求項4に記載の補助グリップ付き卓球ラケット。
【発明の詳細な説明】
【関連出願】
【０００１】
本願は、「補助グリップ付き卓球ラケット」という発明名称で、2013年7月9日に出願された香港特許出願第13108045.3号を基礎とする優先権を主張しており、上記出願のすべての内容は、本明細書中に参考として援用される。
【技術分野】
【０００２】
本発明は体育用品に関し、特に補助グリップを有する卓球ラケットに関する。
【背景技術】
【０００３】
卓球競技においては、ペンホルダーでラケットを握ってミート打ちをする場合、腕は、ラケットにより回転しやすくなる。一般的な卓球愛好家では、中指、薬指と小指のラケットの板への支持力が足りないため、ラケットの板で球を打撃する動作にブレが生じる。結果としては、一般的な卓球愛好家の技術レベルにも影響を及ぼし、相手からの攻撃にうまく対応できなくなるとともに、相手に有効な攻撃をすることも難しい。
【０００４】
球を打つ時の動作にブレが生じることを防ぐため、体の条件が異なる卓球愛好家たちは、全て長時間練習する必要がある。それにより、中指、薬指と小指がラケットの板を支持する癖を変えることができる。しかし指の力が弱い卓球愛好家にとって、レベルアップは、かなり難しい。
【発明の概要】
【０００５】
本発明は、上記技術的な課題を解決するため、補助グリップ付き卓球ラケットを提供する。
【０００６】
本発明は、補助グリップ付き卓球ラケットであって、
板部、グリップ部を備え、
上記グリップ部に近い側の上記板部に設けられる、掌及び指が押圧支持用の補助グリップを有し、
上記補助グリップは
中指の押圧支持用の第1押圧部、
薬指と小指の押圧支持用の第2押圧部、及び
掌の押圧支持用の第3押圧部を備えることを特徴とする
補助グリップ付き卓球ラケットを提供する。
【０００７】
本発明の一実施形態においては、
上記補助グリップは、
上記第1押圧部を有する第1補助グリップ、及び
上記第2押圧部と上記第3押圧部を有する第2補助グリップを備え、
上記第2補助グリップは、上記板部表面との間の角度を調整するため、上記グリップ部の長手方向に沿って回転可能で、
上記第2補助グリップは、上記第1補助グリップと上記グリップ部との間に設けられることを特徴とする
補助グリップ付き卓球ラケットを提供する。
【０００８】
本発明の一実施形態においては、
上記第2補助グリップの回転軸線が、上記グリップ部の中心線と平行又は一致する。
【０００９】
本発明の一実施形態においては、
上記板部と上記第2補助グリップとを連結するため、上記板部の表面に連結材が設けられ、
上記第2補助グリップは、上記板部の表面との間に形成される角度を調整するため、上記連結材と回転可能に連結する。
【００１０】
本発明の一実施形態においては、
上記第1補助グリップが、上記連結材に設けられる。
【００１１】
本発明の一実施形態においては、
上記連結材は蝶番であり、上記蝶番は、第1片側半と第2片側半を備え、
上記第1片側半は、上記板部に設置され、上記第2片側半が上記第2補助グリップに連結され、
第1片側半と第2片側半の回転により、上記第2補助グリップと上記板部の表面との間に形成される角度を調整する。
【００１２】
本発明の一実施形態においては、
上記第1補助グリップは、上記板部の表面に設置される。
【００１３】
本発明の一実施例においては、
上記第2補助グリップと第1補助グリップとの間に、薬指と小指が放置する隙間を設置し、第1補助グリップに近い側に、上記第2補助グリップにおいて、薬指と小指が押圧支持用の第1倣い構造を設置する。
【００１４】
本発明による補助グリップ付き卓球ラケットは、以下の効果を奏する。本発明によると、通常なグリップの先端に補助グリップが付けられ、当該補助グリップが、中指が押圧支持用の第1押圧部、薬指と小指が押圧支持用の第2押圧部、及び手掌が押圧支持用の第3押圧部を備えるため、ボルトを打つ際に中指に力を入れやすくなり、ペンホルダーでラケットを握ってミート打ちをする場合の技術及び力を向上でき、卓球愛好家のレベルをより一層上げられる。
【図面の簡単な説明】
【００１５】
以下、図面及び実施例を参照しながら、更に詳細に本発明を説明する。
【００１６】
【図１】本発明の一実施形態による補助グリップ付き卓球ラケットの構造模式図である。
【発明を実施するための形態】
【００１７】
本発明の技術的な特徴、目的及び効果をより詳しく理解するため、図面を参照しながら、本発明の実施形態を説明する。
【００１８】
図1に示すように、本発明の実施例による補助グリップ付き卓球ラケットは、板部1、グリップ部2、及び補助グリップ3を備える。補助グリップ3は、指の押圧支持のため、板部1のグリップ部2に近い側に設けられる。
【００１９】
補助グリップ3は、第1補助グリップ31及び第2補助グリップ32を備え、第2補助グリップ32は、第1補助グリップ31とグリップ部2との間に設置される。第1補助グリップ31は、中指の押圧支持用の第1押圧部311を有し、第2補助グリップ32は、薬指と小指の押圧支持用の第2押圧部321、及び掌の押圧支持用の第3押圧部32を有する。第1補助グリップ31及び第2補助グリップ32を加えることにより、ラケットを把持する力を向上できる。そして、人差し指を板部1の正、裏面に自由置き替えることができ、人差し指を、板部1に置いて、補助グリップ3と同面とする場合、ロビング（ロブ）をより上手くできる。
【００２０】
本実施例においては、第1補助グリップ31は直角に屈曲した形状であり、第1補助グリップ31の一つの垂直面がネジなどのクランプ部材により板部に貼り合わせて固定連結され、第1押圧部311は、板部1の表面に垂直となっている板部先端向きに設置されているもう一方の垂直面に設けられる。ラケットを握る際に、指が適当な姿勢に保たれるように、先に第1押圧部311の回転位置を調整してから、第1補助グリップ31を固定しても良い。
【００２１】
板部1の表面には、板部1と第2補助グリップ32を連結する連結材4が設けられる。本実施例において、連結材4は蝶番である。当該蝶番は第1片側半41と第2片側半42を備え、第1片側半41は、板部1に設置され、第2片側半42は第2補助グリップ３２に貼り合わせて固定連結される。
【００２２】
本実施例では、第2片側半42は、グリップ部2の長手方向に沿って回転するため、第2補助グリップ32と板部1の表面により形成される角度を調整でき、第2補助グリップ32の回転軸線は、板部1の中心線と平行又は一致する。他の実施例においては、連結材41は、第1片側半41の蝶番でも良く、第2補助グリップ32を直接、第1片側半41に回転可能に連結させても良い。また、第2補助グリップ32と板部1の表面により形成される角度を調整するため、第2補助グリップ32を直接、板部1に回転可能に連結させても良い。
【００２３】
本実施例では、第1補助グリップ31と第2補助グリップ32との間に、薬指と小指を置く隙間を設置し、第2押圧部321は、第2補助グリップ32の第1補助グリップ31に近い側に設置され、第2押圧部321には、薬指と小指の押圧支持用の第1倣い構造が設けられている。当該第1倣い構造は、円弧面の構造であり、ラケットを握るときの手の形状に合わせて、よりラケットを握りやすくなり、指により力を入れやすくなるという効果もある。別の実施例では、第1倣い構造に、更に薬指と小指を置くための隣接する2つの凹溝を設けても良い。これにより、指の板部1に対する支持力を向上でき、又、グリップのフィット感も改善できる。
【００２４】
本実施例では、第3押圧部322が、第2補助グリップ32に設けられ、且つ第2押圧部321と対向して設置されている。第3押圧部には、掌に合わせてよりフィットさせるため、第3倣い構造が設けられている。
本実施例では、第1補助グリップ31及び第2補助グリップ32の表面には、いずれも柔軟な保護層が被覆され、指のフィット感を向上させ、第1補助グリップ31又は第2補助グリップ32との摩擦により指が傷つくことも回避できる。
【００２５】
本発明の具体的な実施形態の記載において、実施形態に対して記載及び／又は示した特徴を同じ又は類似する方式で１つ又は複数のその他の実施形態に適用され、その他の実施形態における特徴と組み合わせ、又はその他の実施形態における特徴と代替することができる。
【００２６】
以上本発明の構成及びその利点を詳しく説明したが、添付する請求項で規定された本発明の技術思想と権利範囲を逸脱しない場合には、様々な変更、代替及び変換を行うことができることを理解すべきである。さらに、本発明の技術範囲は、本明細書に述べた過程、装置、手段、方法及び工程の具体的な実施形態に限定されない。本発明によれば、ここで記載の実施形態と基本的に同じ機能を実現し或いはそれと基本的に同じ効果を奏する、従来開発され又は将来開発される過程、装置、手段、方法或いは工程を使用することができることを、当業者は本発明の開示内容から容易に理解することができる。
【図１】
2016526457.tif 000003
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
板部（1）、グリップ部（2）を備え、
前記板部（1）の前記グリップ部（2）に近い側に、掌及び指の押圧支持用の補助グリップ（3）が設けられ、
前記補助グリップ（3）は
中指の押圧支持用の第1押圧部（311）、
薬指と小指の押圧支持用の第2押圧部（312）、及び
掌の押圧支持用の第3押圧部（313）を備える、
ことを特徴とする補助グリップ付き卓球ラケット。
【請求項２】
前記補助グリップ（3）は、
前記第1押圧部（311）を有する第1補助グリップ（31）、及び
前記第2押圧部（312）と前記第3押圧部（313）を有する第2補助グリップ（32）を備え、
前記第2補助グリップ（32）は、前記板部（1）表面との間の角度を調整するため、前記グリップ部（2）の長手方向に沿って回転可能で、
前記第2補助グリップ（32）は、前記第1補助グリップ（31）と前記グリップ部（2）との間に設けられること、
を特徴とする請求項1に記載の補助グリップ付き卓球ラケット。
【請求項３】
前記第2補助グリップ（32）の回転軸線は、前記グリップ部（2）の中心線と平行又は一致すること、
を特徴とする請求項2に記載の補助グリップ付き卓球ラケット。
【請求項４】
前記板部（1）と前記第2補助グリップ（32）とを連結するため、前記板部（1）の表面に連結材（4）が設けられ、
前記第2補助グリップ（32）は、前記板部（1）の表面との間に形成される角度を調整するため、前記連結材（4）と回転可能に連結すること、
を特徴とする請求項2に記載の補助グリップ付き卓球ラケット。
【請求項５】
前記第1補助グリップ（31）は、前記連結材（4）に設けられること、
を特徴とする請求項4に記載の補助グリップ付き卓球ラケット。
【請求項６】
前記連結材（4）は、蝶番であり、前記蝶番は、第1片側半（41）と第2片側半（42）を備え、
前記第1片側半（41）は、前記板部（1）に設置され、前記第2片側半（42）は、前記第2補助グリップ（32）に連結され、
第1片側半（41）と第2片側半（42）の回転により、前記第2補助グリップ（32）と前記板部（1）の表面との間に形成される角度を調整すること、
を特徴とする請求項5に記載の補助グリップ付き卓球ラケット。
【請求項７】
前記第1補助グリップ（31）が前記板部（1）の表面に設置されること、
を特徴とする請求項4に記載の補助グリップ付き卓球ラケット。
【手続補正２】
【補正対象書類名】明細書
【補正対象項目名】００１３
【補正方法】変更
【補正の内容】
【００１３】
本発明の一実施形態においては、
上記第2補助グリップと第1補助グリップとの間に、薬指と小指を置く隙間を設置し、上記第2補助グリップの第1補助グリップに近い側に、薬指と小指の押圧支持用の第1倣い構造を設置する。
【手続補正３】
【補正対象書類名】明細書
【補正対象項目名】００１４
【補正方法】変更
【補正の内容】
【００１４】
本発明による補助グリップ付き卓球ラケットは、以下の効果を奏する。本発明によると、通常のグリップの先端に補助グリップが付けられ、当該補助グリップは、中指の押圧支持用の第1押圧部、薬指と小指の押圧支持用の第2押圧部、及び掌の押圧支持用の第3押圧部を備えるため、球を打つ際に中指に力を入れやすくなり、ペンホルダーでラケットを握ってミート打ちをする場合の技術及び力を向上でき、卓球愛好家のレベルをより一層上げられる。
【手続補正４】
【補正対象書類名】明細書
【補正対象項目名】００１９
【補正方法】変更
【補正の内容】
【００１９】
補助グリップ3は、第1補助グリップ31及び第2補助グリップ32を備え、第2補助グリップ32は、第1補助グリップ31とグリップ部2との間に設置される。第1補助グリップ31は、中指の押圧支持用の第1押圧部311を有し、第2補助グリップ32は、薬指と小指の押圧支持用の第2押圧部321、及び掌の押圧支持用の第3押圧部32を有する。第1補助グリップ31及び第2補助グリップ32を加えることにより、ラケットを把持する力を向上できる。そして、人差し指を板部1の正、裏面に自由に置き替えることができ、人差し指を、板部1に置いて、補助グリップ3と同面とする場合、ロビング（ロブ）をより上手くできる。
【国際調査報告】
2016526457.tif 000004
2016526457.tif 000005
2016526457.tif 000006
2016526457.tif 000007
2016526457.tif 000008
2016526457.tif 000009